(57)【要約】【課題】植物の育成と修景を目的としたフラワーポールの管理には、植物育成管理、給水管理、水質管理、保守・補修管理など、植物への灌水や本体部材を維持するための多岐に渡る管理が必要とされ、長期にわたって維持することが負担となっているため、全般的な管理の軽減と修景機能の向上をはかることが課題である。【解決手段】植物育成のための用土の含水量を適切な状態に保ち、排水性と保水性を維持して根の呼吸を助けるために、多孔質の無機質素材を使用し根の生育環境を確保し、灌水の管理軽減のため吸水シートを用いた底面灌水方式を用いて用土に水を補給する。また、貯留した水の量を目視で確認するための水位ゲージと、直接水を貯留部に注ぎ込むための給水パイプを取り付け、さらにフラワーポールの修景機能を高めるために、照明器具を取り付けて課題を解決した。【選択図】        図１３
2005278500.tif 000002
【特許請求の範囲】
【請求項１】
フラワーポールと、上記フラワーポール上部に収容されたプランターと、上記フラワーポール内であって上記プランター下部に設置された照明器具からなる植物修景装置。
【請求項２】
上記プランターが内部に貯水機能を有し、その貯水量を外部から目視できる窓と直接貯水部に補給水を注水するそそぎ口を有し、さらに保水、排水機能をもつ多孔質素材を含む用土に水を供給する吸水シートを有するプランターと、フラワーポール内部に光源を置く間接照明を有するフラワーポール。
【発明の詳細な説明】
【技術分野】
【０００１】
本発明は、地表から隔離されるという過酷な環境条件のもとで、根をもった生きた植物を飾るため、内部に貯水機能を持つ植物育成用のプランターと照明機能を備えた、景観を向上させる植物修景装置に関する。
【背景技術】
【０００２】
フラワーポールは、庭園、公園、街路、建築の内外など、様々なオープンスペースに生きた植物を飾り、景観の向上をはかることで、周辺の環境に潤いをもたらす修景施設であるとともに、植物を継続して育成するための、育成装置の機能を合わせもつものである。
【０００３】
従来のプランターの給水技術は、水をプランター上部から直接灌水させ、用土を浸透して底部の空間に貯水させた水を用土に直接触れさせ湿らせているが、さらに貯水した水を積極的に利用した底面灌水方式は、シクラメンの栽培など園芸栽培分野で広く使われており、プランターでは特許文献３に示すものなどがある。
【０００４】
夜間の照明の機能をもつ植物育成装置には、既存の街灯の柱に取り付けたり、装置本体上部に光源を置き、本体上部に植裁された植物を照らしだすものがある（例えば、特許文献１、２参照）。
【特許文献１】特開２０００-４１４８８号  公報
【特許文献２】特開２００２-１００２０８号  公報
【特許文献３】特許第３０９８３５７号  公報
【発明の開示】
【発明が解決しようとする課題】
【０００５】
植物の育成と修景を目的としたフラワーポールの管理には、植物育成管理、給水管理、水質管理、保守・補修管理など様々な管理が必要とされ、植物を維持することが負担となっているため、全般的な管理の軽減と修景機能の向上をはかることが重要であり、このことは社会的にも必要とされる課題でもある。
【０００６】
本発明では、空中に隔離された過酷な環境のもとで、生きた植物を継続させて育てるための根の生育環境である用土の水分環境を、良好な状態で維持するための工夫が重要であり、植物育成環境の向上をはかるために、植物生育の疎外要因である用土の過湿と乾燥が根に与えるダメージを軽減すると同時に、根の呼吸を助ける土壌構造を確保する必要がある。
【０００７】
用土に水を補給することを目的とする給水管理を軽減するためには、とくに夏など気温が高い時期には、連日給水が欠かせず、給水回数は管理の負担となっているため、貯水量を多く確保するとともに、雨などの自然の水も貯留させて利用するなどして、貯水機能を高めるとともに、外部から貯水量の残量を目視できるようにして、給水時期を簡単に見極められるようにし、直接外部から貯水部に水を注ぎ込む構造とすることで短時間に注水を完了させ、水やりの回数と作業時間を減らすことが必要課題である。
【０００８】
自然の雨と上部から直接灌水する人為的な灌水などによる用土の急激な浸潤により、用土の中に含まれる細かな粒子の貯水部への流入や、植物の毛細根の浸入、そして藻類の発生などにより、貯留された水の汚濁がすすむと、水の交換や貯水部の清掃などの水質管理の負担が増すことが懸念されるため、それらの管理作業を軽減させることが課題である。
【０００９】
修景施設として長期にわたって維持管理するためには、保守・補修管理作業を軽減することが重要であり、そのためには単純な構造にして内部の清掃が容易で、専門的な補修を必要とせず、低コストの部品の交換ですむようにし、さらに吸水材料の効果を長く持続させることが課題である。
【００１０】
フラワーポールの景観効果の向上をはかるため、プランターの植裁部と貯水部を一体としたデザイン構造とし、柔らかな空間がかもし出されるような全体形状となるように配慮し、夜間においても柔らかな光による景観の演出効果をそなえた修景施設となるよう、照明器具の取り付け位置や照明方法を工夫することが課題である。
【００１１】
長期に渡って維持管理の負担を軽減するとともに、長期間に渡って本発明装置を使用することでトータルコストを下げるためには、上記の植物の維持管理以外に、製品に破損し難い部材を用いることにより補修管理負担を軽減するとともに、フラワーポールの転倒などによる危険性を排除して、安全性を確保することが重要な課題である、
【課題を解決するための手段】
【００１２】
上記課題を解決するために本発明では、プランターの用土の含水量を適切な状態に保つとともに、排水性と保水性を維持しながら根の呼吸を助けるために、多孔質の無機質素材を用土に混入するとともに、用土の下にも多孔質の素材を敷きならすことで、根の呼吸と吸水を助ける生育環境を確保するという課題を解決した。
【００１３】
プランターの給水に関しては、プランター底部に通水性のある板を用いた浮かせ台を置くことで、貯水のための空間を確保し、貯留した水に一方を浸した吸水シート（不織布等）をプランターの内側側面に取り付けることにより、水を吸い上げて用土と多孔質素材に補給する仕組みの底面灌水方式を用いることで、用土の乾燥を防ぐ。また、水抜き穴を設け貯水部の余水を外部に放出することにより用土の加湿を予防することで、根の生育に必要な良好な土壌環境を整えるとともに、雨や人為的な直接灌水による過剰な水を底部に貯留し利用することで、水やり管理の回数の軽減と水を有効利用するという課題を解決する。
【００１４】
プランターへの水の補給は、貯留水の残存量が外から目視できるように、プランターの側面下部に耐候性の高い透明板を取り付けた水位ゲージの窓を設け、水の残量が少なくなったことを確認の上、適切なタイミングでプランターの側面内側に取り付けた給水管より、水を直接貯留スペースに注ぎ込む構造とし、給水労力の負担と作業時間を軽減するための課題を解決する。
【００１５】
プランター底部に貯留された水の汚濁の防止と、吸水機能を長く持続させるために吸水シート（不織布等）の目詰まりを防止するとともに、根の貯水部への浸入を防ぐために、遮根シート（防根シート）で用土全体を包み込むことにより、細粒土の貯水部への流入と根の浸入防止による水の汚濁を防ぎ、さらに銅素材を貯留水に投入し藻の発生をおさえることにより水質を保全することで、水質管理の負担と水の交換や貯水部の清掃などの保守管理の回数を軽減するという課題を解決する。
【００１６】
プランターの保守・補修管理を軽減するために、上記浮かせ台は貯水部の清掃がしやすいよう取り外しができる構造とし、また吸水シート（不織布等）を取り付けるフックをプランターの内側に設けることで、吸水シートの脱落を防ぐことができ、組み立ての作業性を向上させて、保守・補修管理の作業労力の負担を軽減するという課題を解決する。
【００１７】
フラワーポールとプランターに錆に強い耐候性の高い素材を使うことで耐久性を高め、長期に渡って使用できるようにし、さらに水の補給機能を持つ材料として安価な吸水シート（不織布等）を交換材料に用いることで、維持管理費を含めたトータルコストを軽減するという課題を解決する。
【００１８】
風や人為的な原因による、フラワーポールの転倒防止などの安全性の確保のため、床や地面との接地部分にアンカーを取り付け、さらに床などを傷つけるガタツキを防止するためには、床や舗装との接触部に緩衝材を取り付ける。また風の抵抗を少なくするため、風の抜け易い格子状の形態をとり、さらにガードには通風性の良い材料を使うことで、照明器具とプランターを保護するとともに、風の抵抗を軽減させて安定性の向上と危険を防止するという課題を解決する。
【００１９】
フラワーポールの夜間照明による修景性に関しては、照明器具をプランターの下に取り付け柔らかな間接照明効果を発揮させるとともに、光の透過性と照明器具から発する熱の放熱を促進させるため、空気の流通する孔隙の多いガードで囲い込むことで、夜間の修景効果を向上させるという課題を解決する。
【発明の効果】
【００２０】
上記手段により、植物が健全な状態で生育を続けるためには、プランター内部の用土に多孔質の素材を混入することによって、多孔質素材自体が多数もつ細かな空隙に、植物の生育に欠かすことのできない水と酸素（空気）が留保されるため、用土に水と酸素が継続的に供給されるとともに乾燥を防ぐ効果がある。さらに、用土の下に多孔質の素材を敷きならすことで保湿性と空隙が増し、上記の効果がさらに強化され、根の生理的な生育環境を良好なものに整える効果がある。
【００２１】
給水に関しては、プランター底の貯水部に用いた、通水性がある浮かせ台で確保された貯水部によって、用土の中の余分な水や雨水は落下し貯留されるため、水の有効利用がはかられるとともに、水抜き穴を設け貯水部の余水を外部に放出することで、過剰な水が用土に滞留することによる根腐れを予防する効果がある。さらに、吸水シートによる底面灌水方式を用いることで、ゆっくりとした水の供給が持続されることで、用土の過湿と乾燥を防ぎ、根の生育に良好な環境を整えると同時に、水やり管理の回数を軽減する効果がある。
【００２２】
水の補給を、プランターの側面に開けた水位ゲージの窓から、水の残存量を外から目視できるため、適切なタイミングで水の補給のための給水を行うことができるとともに、プランター側面の内側に取り付けた給水管からは、直接水を貯留スペースに注ぎ込むことで、短時間に給水を完了できるため、故障も少なく必要最小限の給水管理ですませられる効果がある。
【００２３】
プランター底部に貯留された水に、雨や上部からの灌水で用土から養分肥料と細かな土壌の成分が流入し、さらに根が浸入することで汚濁の原因となり、同時に吸水シートは目詰まりを起こしやすくなるため、遮根シート（防根シート）で用土全体を包み込むことにより、細粒土の流入と根の浸入による水の汚濁と吸水シートの目詰まりの両方を防ぐ効果がある。さらに夏の気温が上昇する時や梅雨の時期には、用土中の肥料分が貯水部へ流入し、水位ゲージから射し込む光によって藻類が発生しやすくなるため、水が汚れやすく水質管理の負担が増すことになるので、銅素材を貯水部に投入することで、銅イオンのもつ防藻効果により水質が保全されるため、水の交換や貯水部の清掃などの水質管理の負担を軽減する効果がある。
【００２４】
吸水シートを交換することで、容易に用土への吸水機能を回復させることができるとともに、安価な素材であるため管理費用も低く押さえることができる。さらに吸水シートを取り付けるフックをプランターの内側に設けることで組み立てが楽になり、そして前記の浮かせ台は簡単に取り外しができるため、貯水部の中の清掃がしやすく管理の作業性が向上するため、保守・補修管理の負担を軽減する効果がある。
【００２５】
フラワーポールとプランターに錆に強い素材を使うことで耐久性を増すため、修景施設としても長期の使用が可能になり、維持管理費を含めたトータルコストを軽減する効果があるとともに、使用期間が長いということは、廃棄するまでに時間がかかるということで、社会的な環境問題となっている、ゴミの減量にも寄与するものと考える。
【００２６】
フラワーポールを格子状の支持構造とし、ガードも通風させる形状とすることで、風の抵抗を軽減する効果があり、さらに床、舗装や地面との接地部分にアンカーを取り付け固定することで、転倒を防止するとともに、緩衝材を取り付けることで床などを傷つけるガタツキを予防することができるため、安全性と安定性を増す効果がある。
【００２７】
修景効果に関しては、フラワーポールによる夜間の柔らかな間接照明により美観が形成されるため、修景性を高める効果がある。
【発明を実施するための最良の形態】
【００２８】
以下、本発明の実施の形態を図１〜図１３に基づいて説明する。
【実施例１】
【００２９】
本発明では植物の生育環境を良好なものとするために、プランター2内部の用土2nに小さく多孔質な無機質素材（竹炭等）2kを混入することで、保水性と排水性能を高め土壌の乾燥を防ぎ、植物の根の呼吸を助けるとともに、さらに用土2nの下部に中程度の大きさの多孔質素材（竹炭等）2lを敷き詰めて常に湿らせておくことで、用土2nへの水分補給を強化するとともに、根の呼吸する空間を提供して、乾燥を防ぐことができる。
【００３０】
上記プランター2は、給水回数を軽減するために、用土2nへの水の供給は、毛細管現象の機能をもつ素材で作られた吸水シート（不織布等）2hで貯水部2fから水を吸い上げ、その水を多孔質な無機質素材（竹炭等）2kを混入した前記用土2nに、徐々に水を浸潤させ水分を補給する底面灌水方式の構造とする。
【００３１】
さらに、プランター2底の貯水部2fには、雨水や灌水した水が用土2nの中に滞水しないように、水が落下する孔隙のあいた通水板を用いた浮かせ台2aを用土の下に置くことで、落下した水の貯留空間を確保し、上部から浸透してきた雨水や灌水による水を貯水部2fに受けて貯留するため、用土の過湿を防ぐとともに水の有効活用がはかられる。
【００３２】
プランター2上部からの直接灌水や降雨の時に、貯水部2fの水量の増加にともない、貯留水の水位が上昇して、用土2nが浸水して過湿になることを防ぐために水抜き穴2gを設け、貯水部2fの余水が外部に出るようにする。
【００３３】
プランター2への水の補給のタイミングをはかるために、水位ゲージ（ポリカーボネート等）2bで水の残量を外から目視で確認できるようにするとともに、給水パイプ2cを設け直接貯水部2fに水を短時間で補給できるようにする。
【００３４】
プランター2の水質管理を軽減するために、用土2nと多孔質素材（竹炭等）2lの外側を遮根シート（防根シート）2jで包み込むことで、貯水部2fへの用土2nに含まれる細粒土の流入と、植物の毛細根の浸入を防止し水の混濁を防ぐとともに、さらに用土2nの細粒土の浸入による吸水シート（不織布等）2hの目詰まりを防ぐことで、吸水機能を長く持続させる。
【００３５】
また、春から夏、残暑の時期には気温の上昇にともない、プランター2に貯留された水の水温が上がり、用土2nの養分の貯水部2fへの流入にともない、藻類が発生しやすくなるので、銅素材（銅線等）2mを貯水部2fの水中に投入して、銅イオンによる防藻効果のはたらきで藻類の発生をおさえ、水質保全を図る。
【００３６】
保守管理を軽減するために、プランター2の浮かせ台2aは取り外しが可能な構造とするため、貯水部2fに置く構造として、上記貯水部2fの中を清掃管理しやすくし、また補修管理を軽減させるために、プランター2とフラワーポール1の躯体部分は、すべて耐候性の高い材料（ステンレス等）を用いることで、防錆処理などの維持管理を軽減する。
【００３７】
フラワーポール1を硬い舗装などの床上に設置する場合には、ガタツキを防止し、床面を傷つけないようにするために、緩衝材1fを底部リング1gに取り付ける。
【００３８】
フラワーポール1の転倒防止のために、風圧の影響を小さくする縦格子構造にするとともに底部リング1gを大きくとり、さらに転倒防止を強化する場合は、底部リング1gのアンカー取付リング1cにアンカー1eを取り付け床や地面に固定する。
【００３９】
フラワーポール1の景観の向上をはかる修景施設としての機能強化のために、プランター2の下部に照明器具3aを取り付け夜間照明の機能を付加するが、特に夏の気温が高い時期のことを考えて、プランター2を加熱しないよう、発熱量、消費電力がともに少なく、寿命も長く柔らかな照明効果を提供する、防滴仕様の照明器具（発光ダイオード等）3aを取り付ける。
【００４０】
その際、防滴仕様のフラワーポール1の照明器具3aに雨水や灌水などにより、上部から流れ落ちる水が直接注ぐのを防ぐため、照明器具3aの周囲を制水板3bで取り囲む構造とする。
【００４１】
用土や植物の交換など保守管理の時には、プランター2をフラワーポール1から取り外す必要性が生ずるが、作業を簡単かつスムーズに行うために、プランター2に持ち手2dを取り付けて持ちやすくする。そして、吸水シート2hをプランター2に取り付け易いように、プランター2の内側上部にシートフック2eを設け、効率良く管理作業がすすめられるようにする。
【図面の簡単な説明】
【００４２】
【図１】フラワーポール平面図
【図２】フラワーポール立面図
【図３】プランター平面図
【図４】プランターA-A断面図
【図５】フラワーポールガード平面図
【図６】フラワーポールガードB-B断面図
【図７】浮かせ台詳細図
【図８】シートフック取付詳細図
【図９】水位ゲージ詳細図
【図１０】アンカー取付部詳細図
【図１１】アンカー詳細図
【図１２】プランター部分断面斜視図
【図１３】フラワーポール斜視図
【符号の説明】
【００４３】
１フラワーポール
１ａプランター乗せ台
１ｂ水位窓
１ｃアンカー取付リング
１ｄガード
１ｅアンカー
１ｆ緩衝材
１ｇ底部リング
１ｈ上部リング
２プランター
２ａ浮かせ台
２ｂ水位ゲージ
２ｃ給水パイプ
２ｄ持ち手
２ｅシートフック
２ｆ貯水部
２ｇ水抜き穴
２ｈ吸水シート
２ｉ透明板
２ｊ遮根シート
２ｋ多孔質材（小）
２ｌ多孔質材（中）
２ｍ銅素材
２ｎ用土
３ａ照明器具
３ｂ制水板
【図１】
2005278500.tif 000003
【図２】
2005278500.tif 000004
【図３】
2005278500.tif 000005
【図４】
2005278500.tif 000006
【図５】
2005278500.tif 000007
【図６】
2005278500.tif 000008
【図７】
2005278500.tif 000009
【図８】
2005278500.tif 000010
【図９】
2005278500.tif 000011
【図１０】
2005278500.tif 000012
【図１１】
2005278500.tif 000013
【図１２】
2005278500.tif 000014
【図１３】
2005278500.tif 000015